(57)【要約】【課題】ドレン水を有効利用することにより熱交換器を効果的に冷却できるようにした空気調和機を提供する。【解決手段】底板３上に、平行に並べられた多数のフィン５ａおよびこれに直交する伝熱管５ｂからなる熱交換器５と、同熱交換器５に対向したプロペラファン８ａと、これら熱交換器５およびプロペラファン８ａを囲む円筒状のベルマウス６ａを備えた導風板６とが夫々設けられてなる空気調和機において、前記熱交換器５の側部に、前記伝熱管５ｂのヘアピン部５ｃに被着され、下端部を前記底板３上のドレン水に浸漬させた吸水部材１１が設けられてなる構成にした。【選択図】  図３
2004353923.tif 000002
【特許請求の範囲】
【請求項１】
底板上に、平行に並べられた多数のフィンおよびこれに直交する伝熱管からなる熱交換器と、同熱交換器に対向したプロペラファンと、これら熱交換器およびプロペラファンを囲む円筒状のベルマウスを備えた導風板とが夫々設けられてなる空気調和機において、
前記熱交換器の側部に、前記伝熱管のヘアピン部に被着され、下端部を前記底板上のドレン水に浸漬させた吸水部材が設けられてなることを特徴とする空気調和機。
【請求項２】
前記吸水部材に前記ヘアピン部を収容する収容部が凹設されてなることを特徴とする請求項１に記載の空気調和機。
【請求項３】
前記吸水部材が前記熱交換器の両側部に設けられてなることを特徴とする請求項１または請求項２に記載の空気調和機。
【発明の詳細な説明】
【０００１】
【発明の属する技術分野】
本発明は、空気調和機に係わり、より詳細には、ドレン水を有効利用することにより熱交換器を効果的に冷却できるようにした構造に関する。
【０００２】
【従来の技術】
従来の空気調和機には、プロペラファンに設けられたスリンガリングを、多量の水をかきあげて室外側熱交換器の全域に満遍なく散布できる構造にした一体型空気調和機として、スリンガリングの外周面に吸水性を有する保水部材を被着することにより、この保水部材を備えたスリンガリングによってかきあげられたドレン水を室外側熱交換器の全域に満遍なく散布し、同室外側熱交換器を効果的に冷やすことができて、熱交換効率を効果的に向上させることができるようにしてなるものがあった（例えば、特許文献１参照。）。
【０００３】
しかしながら、当該特許文献１においては、保水部材を備えたスリンガリングによってかきあげられたドレン水が室外側熱交換器に散布された際、このドレン水は室外側熱交換器を構成するフィンに散布されるだけであって、熱交換器を構成する伝熱管のヘアピン部に散布される水が熱交換器およびプロペラファンを囲む導風板によって遮蔽されることから、ヘアピン部を冷却して熱交換効率を向上させるには不充分であったため、例えば室外側熱交換器の側部に露出しているヘアピン部を継続的に冷やすことができるようにして、熱交換効率を更に効果的に向上させるようにすることが望まれていた。
【０００４】
【特許文献１】
特開２００２−３４０３６６号公報（第１頁〜第３頁、第１図および第２図）
【０００５】
【発明が解決しようとする課題】
本発明においては、上記の問題点に鑑み、ドレン水を有効利用することにより熱交換器を効果的に冷却できるようにした空気調和機を提供することを目的とする。
【０００６】
【課題を解決するための手段】
本発明は、上記課題を解決するため、底板上に、平行に並べられた多数のフィンおよびこれに直交する伝熱管からなる熱交換器と、同熱交換器に対向したプロペラファンと、これら熱交換器およびプロペラファンを囲む円筒状のベルマウスを備えた導風板とが夫々設けられてなる空気調和機において、
前記熱交換器の側部に、前記伝熱管のヘアピン部に被着され、下端部を前記底板上のドレン水に浸漬させた吸水部材が設けられてなる構成となっている。
【０００７】
また、前記吸水部材に前記ヘアピン部を収容する収容部が設けられてなる構成となっている。
【０００８】
更に、前記吸水部材が前記熱交換器の両側部に設けられてなる構成となっている。
【０００９】
【発明の実施の形態】
以下、本発明の実施の形態を図面に基づいた実施例として詳細に説明する。
図１は本発明による空気調和機の平面図であり、図２は本発明による空気調和機の要部斜視図であり、図３は本発明による空気調和機の要部分解斜視図であり、図４は本発明による空気調和機の要部説明図で、（Ａ）は熱交換器の正面図、（Ｂ）は平面図、（Ｃ）は側面図である。
【００１０】
本発明による空気調和機は、一体型空気調和機もしくは所謂イージィフィット型の室外機を対象にして構成されたものであるが、ここでは本発明が一体型空気調和機に適用された事例として以下に説明する。
【００１１】
本発明による一体型空気調和機は、図で示すように、前後を開口したキャビネット１内に、仕切板２により区画された底板３上の室外側Ａに載置された圧縮機４および平行に並べられた多数のフィン５ａおよびこれに直交する伝熱管５ｂからなる室外側熱交換器５と、室内側Ｂに載置された室内側熱交換器７と、これら室外側熱交換器５および室内側熱交換器７に対向させた送風機８とで構成された本体が出し入れ可能に収容されている。
【００１２】
前記送風機８は、図１で示すように、前記室外側熱交換器５に対向するプロペラファン８ａと、前記室内側熱交換器７に対向する遠心ファン８ｂと、これらを連結して駆動する底板３上の室外側Ａに載置されたファンモータ８ｃとからなる構成となっており、例えば前記プロペラファン８ａは図２で示す矢印方向に回転するようになっている。
【００１３】
前記室外側熱交換器５は、前記キャビネット１の室外側Ａの両側面に設けられた外気吸込口１ａから前記プロペラファン８ａによって吸い込まれ、前記底板３上の室外側Ａに立設され、円筒状のベルマウス６ａを備えた導風板６によって導かれた外気を通過させて熱交換するようになっており、前記室外側熱交換器５を通過させた空気は前記キャビネット１の後部に設けられた室外側の吹出口から外部に吹き出されるようになっている。
【００１４】
前記導風板６は、前記底板３上の室外側Ａに、前記室外側熱交換器５および前記プロペラファン８ａを囲むように立設されている。
【００１５】
また、前記底板３上の室外側Ａには、前記室外側熱交換器５の下部に水受け部１０が形成されており、同水受け部１０には、前記室内側熱交換器７から滴下した凝縮水が、図３で示す矢印ａで示すように流れ込むことによって溜まるようになっている。
【００１６】
そして、前記水受け部１０が前記熱交換器５に対応して設けられる一方、同熱交換器５の側部に、前記伝熱管５ｂのヘアピン部５ｃに被着され、下端部を前記底板３上のドレン水に浸漬させた吸水部材１１が設けられた構成になっている。
【００１７】
なお、前記水受け部１０が前記底板３上に形成されていない場合であっても、前記吸水部材１１は、前記伝熱管５ｂのヘアピン部５ｃに被着されると共に、下端部が前記底板３上に溜まったドレン水に浸漬されるようになっている。
【００１８】
前記吸水部材１１は、吸水性に優れたスポンジ状の部材からなり、その下端部から吸水され毛細管現象によって吸い上げられた前記ドレン水によって前記伝熱管５ｂのヘアピン部５ｃを冷却できるようになり、これによって前記熱交換器５を効果的に冷却して熱交換効率を向上できるようになる。
【００１９】
すなわち、上記に説明した従来技術においては、スリンガリングを用いることにより、前記熱交換器５を構成するフィンに散水してこれを冷却するのに対し、本発明では、前記熱交換器５を構成し冷媒が流通する伝熱管５ｂのヘアピン部５ｃを充分に吸水した前記吸水部材１１によって直接に冷却できるようになることから、前記熱交換器５を効率よく冷却する上で、従来技術によりも効果上の優位性を見込める有利な構造になる。
【００２０】
また、前記吸水部材１１には、前記ヘアピン部５ｃを隙間なく収容する収容部１１ａ  が凹設された構成になっている。前記収容部１１ａ  は、前記ヘアピン部５ｃの外形部を隙間なく収容できる形状に形成されることによって、該箇所に吸い上げられた前記ドレン水で、スリンガリングを用いることなく、前記ヘアピン部５ｃを効果的に冷却できるようになる。
【００２１】
なお、前記吸水部材１１は、前記熱交換器５の両側部に夫々設けられることによって、前記伝熱管５ｂの両側のヘアピン部５ｃを冷却することにより、前記熱交換器５を効果的に冷却できるようにして、熱交換効率を効果的に向上できるようになっている。
【００２２】
または、図示はしないが、前記吸水部材１１は、前記熱交換器５の両側部および上部に沿わせてコ字状に連続的に設置されるように構成してもよい。
これによって、前記吸水部材１１の下端部から吸い上げられたドレン水は、前記ヘアピン部５ｃを冷却すると共に、毛細管現象により前記熱交換器５の上部にも廻り込んで前記フィン５ｂに沿って滴下するようになり、同フィン５ｂと共に前記伝熱管５ａも上方から順次冷却できるようになる。
【００２３】
すなわち、前記熱交換器５を冷却するドレン水は、前記熱交換器５を構成するフィン５ａにかけられるよりも、このドレン水によって前記熱交換器５を構成する伝熱管５ｂのヘアピン部５ｃを直接に、且つ継続的に冷却できるようにすることによって、より効果的に熱交換効率を向上できることになる。
【００２４】
また、前記水受け部１０は、前記熱交換器５を受ける複数の受け部１０ａ  と、同受け部１０ａ  に設けられた通水溝１０ｂ  とを夫々備えた構成になっている。
【００２５】
これによって、前記水受け部１０が設けられる場合、前記熱交換器５を、前記受け部１０ａ  を備えた底板３上に正確に載置できるようになり、また、前記通水溝１０ｂ  を介して前記水受け部１０が前記熱交換器５の両側部に拡張されるように形成され、拡張された該箇所に溜まったドレン水に前記吸水部材１１の下端部を浸漬するようになっている。
【００２６】
【発明の効果】
以上説明したように、本発明によれば、スリンガリングを用いることなく、伝熱管のヘアピン部に吸水部材を被着したので、その下端部から吸い上げたドレン水によって熱交換器を効果的に冷却できるようにした空気調和機となる。
【図面の簡単な説明】
【図１】図１は本発明による空気調和機の平面図である。
【図２】本発明による空気調和機の要部斜視図である。
【図３】本発明による空気調和機の要部分解斜視図である。
【図４】本発明による空気調和機の要部説明図で、（Ａ）は熱交換器の正面図であり、（Ｂ）は平面図であり、（Ｃ）は側面図である。
【符号の説明】
１  キャビネット
２  仕切板
３  底板
４  圧縮機
５  室外側熱交換器
５ａ  フィン
５ｂ  伝熱管
５ｃ  ヘアピン部
６  導風板
６ａ  ファンリング
７  室内側熱交換器
８  送風機
８ａ  プロペラファン
８ｂ  遠心ファン
８ｃ  ファンモータ
１０  水受け部
１０ａ  受け部
１０ｂ  通水溝
１１  吸水部材
１１ａ  収容部
１２  吸込口
１３  吹出口
１４  前面パネル
Ａ  室外側
Ｂ  室内側
【図１】
2004353923.tif 000003
【図２】
2004353923.tif 000004
【図３】
2004353923.tif 000005
【図４】
2004353923.tif 000006